(57)【要約】　　　（修正有）【課題】従来の複雑な部品を簡単化し、かつ、リブによるウィンデイジを低減し、かつ、羽根による気流を案内する役割があることによって、ファンからの風圧を向上することができるファンフレームのリブ改良構造を提供する。【解決手段】ハウジング１と支承機構２からなり、該支承機構は、軸接される羽根軸接部２１と、軸接部の周縁から外へ延ばすリブ２２とからなり、リブにより、支承機構がハウジングの一端内縁に固着され、また、リブは、一端面から羽根に対応する位置へ向って縮小していく形状であることにより、リブの両側には、夫々に斜面２２１がある。【選択図】　図２
0003099811.tif 000002
【実用新案登録請求の範囲】
【請求項１】
通穴を有するハウジングと、
軸接部と、軸接部の周縁から外へ延ばすリブとからなり、該軸接部によって羽根が軸接され、該リブによって、支承機構が上記通穴の一端内縁に固着され、また、該リブが、一端面から羽根に対応する位置へ向って縮小していく形状であることにより、該リブの両側には、夫々に斜面がある、支承機構と、を有し、
上記の構造により、従来の複雑な部品を簡単化し、かつ、リブによるウィンデイジを低減し、かつ、羽根による気流を案内する役割があることによって、ファンからの風圧を向上すること、を特徴とするファンフレームのリブ改良構造。
【請求項２】
該リブは、羽根の回転による、吹き出される気流方向に対応して、カーブ状であること、を特徴とする請求項１記載のファンフレームのリブ改良構造。
【考案の詳細な説明】
【０００１】
【考案の属する技術分野】
本考案は、ファンフレームのリブ改良構造に関し、特に、従来の複雑な部品を簡単化し、かつ、リブによるウィンデイジを低減し、かつ、羽根による気流を案内する役割があることによって、ファンからの風圧を向上することものに関する。
【０００２】
【従来の技術】
一般、従来の熱発散ファンには、フレームと、羽根を承接し、該羽根がその上で回旋できる承載部とがあり、該承載部の周縁から延ばす、該ファンハウジングと接続するリブがあり、該リブは、構造が棒状体で、該フレームの中央部に固定させるように、承載部を支持しているが、該リブが棒状体であるため、該羽根から気流が吹き出される時、該リブは、該羽根からの気流（即ち、風圧）に対して、ウィンデイジを生成し、該ファンの風圧に影響を与えることだけでなく、羽根は、回転する時生成した気流がリブを流した後、棒状体である該リブによる干渉で、サイクロンが形成されることにより、風圧の損失や該熱発散ファンの機能の低減を来たし、
ゆえに、関係する業者が「ファン増圧案内装置」を開発し、米特許ＵＳ６，２４４，８１８１Ｂ１に記載されるように、それは、ファン増圧案内装置であり、動羽根が承接されて、該動羽根が回旋することにより、該動羽根の風圧を向上するものであり、それには、
外枠と、
該動羽根を承接して、該動羽根が該承載部上で回旋できる承載部と、
該外枠と該承載部との間に接続され、該動羽根が回旋することにより、該動羽根の風圧を向上する、案内装置と、があり、
該案内装置が、該動羽根の下流に位置し、該動羽根と類似する形状を有し、いずれの案内装置のブレードは、断面において、ある瞬間で、先端が動羽根のブレードの尾端と同一位置になって、ハ形を形成することにより、動羽根のブレードが送り出した気流のすべての線速度を靜圧に転換して、該ファンの風圧を向上する。
【０００３】
上記米特許の「ファン増圧案内装置」は、動羽根のブレードから送り出された気流のすべての線速度を、靜圧に転換して、該ファンの風圧を向上するが、従来のリブを該動羽根と類似する形状（即ち、該ファン上に、二つの羽根があり、一つが、回旋可能な動羽根で、もう一つが、ハウジング上に固定される靜羽根である）であるため、該案内装置の構造が複雑的しすぎである。
【０００４】
【考案が解決しようとする課題】
本考案の主な目的は、リブによるウィンデイジを低減し、羽根から送り出される気流を案内する役割があることにより、ファンからの風圧を向上することを達成する。
【０００５】
本考案のもう一つの目的は、従来の複雑な部品を簡単化して、簡単な構造で、同一の機能を達成する。
【０００６】
【課題を解決するための手段】
上記の目的を達成するに、本考案は、ファンフレームのリブ改良構造であり、通穴を有するハウジングと、軸接部と軸接部の周縁から外へ延ばすリブとからなり、該軸接部によって羽根が軸接され、該リブによって、支承機構が上記通穴の一端内縁に固着され、また、該リブが、一端面から羽根に対応する位置へ向って縮小していく形状であることにより、該リブの両側には、夫々に斜面がある、支承機構と、を有し、
上記の構造により、従来の複雑な部品を簡単化し、かつ、リブによるウィンデイジを低減し、かつ、羽根による気流を案内する役割があることによって、ファンからの風圧を向上する。
【０００７】
【考案の実施の形態】
図１、２、３を参照しながら、夫々が、本考案の立体外観概念図、本考案の立体分解概念図、本考案の断面状態概念図である。図のように、本考案は、ファンフレームのリブ改良構造であり、ハウジング１と支承機構２とからなり、これにより、従来の複雑な部品を簡単化しても、同様に、リブによるウィンデイジが低減でき、かつ、羽根による気流を案内する役割があることによって、ファンからの風圧を向上する。
【０００８】
上記のハウジング１には、中央部に通穴１１があり、
該支承機構２は、軸接部２１と、軸接部２１の周縁から外へ延ばすリブ２２とからなり、該軸接部２１により羽根３が軸接され、該リブ２２によって、支承機構２が上記ハウジング１の通穴１１の一端内縁に固着され、また、該リブ２２が、一端面から羽根３に対応する位置へ向って縮小していく形状であることにより、該リブ２２の両側には、夫々に斜面２２１があり、また、該リブ２２は、羽根３の回転による、吹き出される気流方向に対応して、カーブ状であり、上記の構造により、新規なファンフレームのリブ改良構造を構成する。
【０００９】
図４、５、６を参照しながら、夫々が、本考案の使用状態概念図、本考案の気流がリブを流す時の断面図、本考案のテスト状態の曲線図である。図のように、該ファンが使用中である時、ファンに外部電力（図に未表示）が供給され、該ファンの羽根３を回転させることによって気流を吹き出し、該羽根３から気流が吹き出される時、該気流が支承機構２の方向へ向って吹き出され、この時、該支承機構２がハウジング１の通穴１１の一端内縁に固着され、かつ、該リブ２２が該軸接部２１とハウジング１との間に位置し、かつ、該リブ２２が一端面から羽根３に対応する位置へ向って縮小していく形状であることにより、該リブ２２の両側には、夫々に斜面２２１があり、これにより、該羽根３が回転することにより気流が吹き出される時、該気流は、該リブ２２の構造により、該リブ２２の一端から該リブ２２の両側の斜面２２１へ案内され、そして、導出され、また、該リブ２２が、羽根３の回転による、吹き出される気流方向に対応して、カーブ状であるため、羽根３から吹き出される気流は、羽根３に対応する位置が縮小していく形状であることと、羽根３の回転による吹き出される気流方向に対応する、カーブ状であるリブ２２とにより、該羽根３の回転よる、吹き出される気流に合わせて、リブによるウィンデイジを低減することを達成し、また、羽根から吹き出される気流を案内する役割があるため、ファンから出力される風圧を向上し、第６図は、本考案と従来のリブが棒状体であるファンのテスト曲線図であり、本考案と従来のファンとも、４５００ＲＰＭであり、同じテスト条件下で、該曲線図から分かるように、同一の気流下で、本考案は、従来のリブが棒状体であるファンより、より大きい風圧を提供する。
【００１０】
以上の詳しい説明によれば、本技術をよく分かるものが、本考案が確実に前記の目的を達成することを了解するので、実用新案法の規定に従って、出願を提出する。
【００１１】
【考案の効果】
本考案の構造により、従来の複雑な部品をかつ簡単化し、かつ、リブによるウィンデイジを低減し、かつ、羽根による気流を案内する役割があることによって、ファンからの風圧を向上する。
【図面の簡単な説明】
【図１】本考案の立体外観概念図である。
【図２】本考案の立体分解概念図である。
【図３】本考案の断面状態概念図である。
【図４】本考案の使用状態概念図である。
【図５】本考案の気流がリブを流す時の断面図である。
【図６】本考案のテスト状態曲線図である。
【符号の説明】
１　　ハウジング
１１　　通穴
２　　支承機構
２１　　軸接部
２２　　リブ
２２１　　　　斜面
【図１】
0003099811.tif 000003
【図２】
0003099811.tif 000004
【図３】
0003099811.tif 000005
【図４】
0003099811.tif 000006
【図５】
0003099811.tif 000007
【図６】
0003099811.tif 000008